(57)【特許請求の範囲】
【請求項１】
所定の外部深さのしきい値を超えたときの圧力変動感応の自動抑制機能を有するハイドロフォンであって、加えられた圧力変動に応答して電気導体のワイヤ上で電気信号を生成する少なくとも１つの感圧検出ユニットを有するハイドロフォンであって、
前記少なくとも１つの感圧検出ユニットは、本体に封入されており、
前記本体は、
外部から前記ハイドロフォンにかかる圧力の作用の下で湾曲する少なくとも１つの可撓性の壁と、
所定の外圧に達した場合にスイッチに作用する可撓性の壁によって作動させられるスイッチとを有し、
前記少なくとも１つの感圧検出ユニットの前記電気導体のワイヤの少なくとも１本は、前記スイッチに接続されており、
前記スイッチの作動は、前記少なくとも１つの感圧検出ユニットから電気信号を出力することを抑制する、ハイドロフォン。
【請求項２】
ハイドロフォンは、管状本体を有し、
該管状本体は、外部から前記ハイドロフォンにかかる圧力の作用の下で湾曲する、前記可撓性の壁を形成する可撓性のダイアフラムによって密閉される第１のチャンバと、外部環境に対して開放され、前記第１のチャンバから絶縁されている第２のチャンバとを有し、
前記スイッチは、所定の外圧の場合に前記可撓性のダイアフラムによって作動させられるように、前記第１のチャンバ内に前記可撓性のダイアフラムと向かい合う押圧要素を備えており、
前記少なくとも１つの感圧検出ユニットは、第２のチャンバ内にあり、
少なくとも１本の電気導体のワイヤは、第１のチャンバ内の前記スイッチに接続されており、したがって、可撓性の壁の湾曲によって前記スイッチが解放されたときに、前記少なくとも１つの感圧検出ユニットの応答が抑制される、請求項１に記載のハイドロフォン。
【請求項３】
第２のチャンバの感圧検出ユニットが埋め込まれた音響的な透過性を有する材料で作られたブロックを有する、請求項２に記載のハイドロフォン。
【請求項４】
前記第２のチャンバは、前記スイッチを前記少なくとも１つの感圧検出ユニットに接続する少なくとも１本の電気導体のワイヤの通過を可能にする少なくとも１つの溝を含む内側の仕切りによって前記第１のチャンバから分離されている、請求項２または３に記載のハイドロフォン。
【請求項５】
前記第１のチャンバ側の前記管状本体の前記内側の仕切りは、前記ダイアフラムの、第１のチャンバの内側の方への変形を制限するように構成されている、請求項４に記載のハイドロフォン。
【請求項６】
前記第２のチャンバは、前記管状本体の内側に固定された誘電性の剛性のプレートによって前記第１のチャンバから分離されており、前記剛性のプレートは、前記スイッチを保持しており、前記スイッチを前記少なくとも１つの感圧検出ユニットに接続する少なくとも１本の電気導体のワイヤに前記スイッチを電気的に接触させる、請求項２または３に記載のハイドロフォン。
【請求項７】
前記剛性のプレートは、前記スイッチの端子を前記少なくとも１つの感圧検出ユニットの電気導体のワイヤに電気的に接続する導電トラックを備えた絶縁プレートである、請求項６に記載のハイドロフォン。
【請求項８】
金属またはプラスチック材料のうちの１つで作られ、第１のチャンバ内の、前記少なくとも１つの可撓性の壁と前記剛性のプレートとの間に配置されたリングであって、前記少なくとも１つの可撓性の壁の、第１のチャンバの内側への変形を制限するリングを有している、請求項６または７に記載のハイドロフォン。
【請求項９】
第２のチャンバ内の前記少なくとも１つの感圧検出ユニットは、互いに接触する２つのカップから成るハウジングを有し、
前記２つのカップのうちの少なくとも一方のカップが、可撓性のダイアフラムを形成する可撓性の中央部と、少なくとも一方のカップの前記可撓性の中央部に固定された電極に関連している、少なくとも１つの感応素子と、を備え、
前記少なくとも１つの感圧検出ユニットは、
各感応素子の電極に接続された電気導体のワイヤと、前記少なくとも１つの感圧検出ユニットを保護する保護シースとを有し、
前記スイッチは前記少なくとも１本の電気導体のワイヤに接続されている、請求項２から８のいずれか一項に記載のハイドロフォン。
【請求項１０】
ハイドロフォンは、第２のチャンバを有し、
前記少なくとも１つの感圧検出ユニットは、前記第２のチャンバ内に配置されており、
前記少なくとも１つの感圧検出ユニットは、互いに接触する２つのカップから成るハウジングを有し、
前記２つのカップのうちの少なくとも一方のカップが、可撓性のダイアフラムを形成する可撓性の中央部と、少なくとも一方のカップの前記可撓性の中央部に固定された電極に関連している、少なくとも１つの感応素子と、を備え、
前記少なくとも１つの感圧検出ユニットは、
各感応素子の電極に接続された電気導体のワイヤと、前記少なくとも１つの感圧検出ユニットを保護する保護シースとを有し、
前記スイッチは前記少なくとも１本の電気導体のワイヤに接続されている、請求項２に記載のハイドロフォン。
【請求項１１】
前記スイッチは、前記ハウジングの前記２つのカップの間の中間支持体に固定されている、請求項１０に記載のハイドロフォン。
【請求項１２】
前記スイッチは、前記ハウジングの前記２つのカップの間の中間支持体に固定されており、前記スイッチは、前記２つのカップのうちの一方のカップの前記可撓性のダイアフラムに面する前記スイッチの押圧要素、および前記スイッチに接続された電気導体のワイヤが前記ハウジングの外側に出るのを可能にする密閉された絶縁ブシュと共に、前記中間支持体に固定されている、請求項１０に記載のハイドロフォン。
【請求項１３】
前記スイッチは、一方のカップに電気的に接続された第１のブレードを有する可撓性ブレードを有し、
前記ブレードは、少なくとも１つのダイアフラムの屈曲が、外圧の作用の下で一定の限界値よりも小さいままであるかぎり、互いに接触したままになっている、請求項１０に記載のハイドロフォン。
【請求項１４】
ハイドロフォンは、管状本体を有し、
前記管状本体は、前記少なくとも１つの感圧検出ユニットおよび前記スイッチを含む固定部と、前記少なくとも１つの可撓性の壁によって第１の端部で密閉され、前記固定部にねじ込みにより連結された可動部とを有し、したがって、前記少なくとも１つの可撓性の壁と前記スイッチの押圧要素との間に残る空間により、常に、圧力でスイッチを解放することができる、請求項２に記載のハイドロフォン。
【請求項１５】
請求項１４に記載のハイドロフォンを実装する方法であって、
前記管状本体の前記可動部を前記固定部にねじ込むことによって嵌め込み、前記少なくとも１つの可撓性の壁を前記管状本体の内側の方へ湾曲させる所定の圧力を前記少なくとも１つの可撓性の壁にかけ、引き続き、前記スイッチが解放されるまで前記可動部と前記固定部とを互いにねじ込むことを含む、ハイドロフォンを実装する方法。
【請求項１６】
前記スイッチは通常開いている、請求項１に記載のハイドロフォン。
【請求項１７】
前記スイッチは通常閉じている、請求項１に記載のハイドロフォン。
【発明の詳細な説明】
【０００１】
【発明の属する技術分野】
本発明は、浸漬深さがある調整可能なしきい値を超えたときの自動抑制機能を有するハイドロフォンに関する。
【０００２】
【従来の技術】
各円板が、各側に配置された一対の電極に関連付けされた、圧電材料で作られた円板のような、圧力変動に感応する要素を組み立てることによってハイドロフォンを形成することが公知である。各円板は、ダイアフラムのような可撓性の支持体上に接着され、支持体の一面が、測定すべき圧力変動にさらされる。
【０００３】
可撓性の支持体は、たとえば、剛性のハウジングによって支持することができるか、または同一のカップに接触させることができるカップの形状を有し、カップ自体が１つまたは複数の感応素子を保持し、この２つのカップが、１つの縁部で互いに接触し、ハウジングを形成する。２つの感応素子の電極は、加速による寄生効果を補償するように電気的に相互接続されることが好ましい。
【０００４】
外側の静圧が高くなると、２枚のプレートは、互いに接触するまで湾曲する。プレート間の空間としては、プレート同士が押し付けられたときに、プレートの最大変形が弾性変形限界内になるような空間が選択される。したがって、検出器は偶発的な過度の圧力から保護される。このように形成されたハウジングに、音響波を透過させる材料で作られた層を被覆することができる。
【０００５】
感応素子は、感度が静水圧の変動に応じて激しく変動することのないように（たとえば、静圧が１０ＭＰａの場合は１０％未満）ハウジングの外部に固定することができる。感応素子は、外部環境に対して十分な電気絶縁を維持するように保護コーティング（ワニスアラルダイト層など）で全体的に覆われている。この層によって、非常に感度の高い検出器を比較的低コストで得ることができる。
【０００６】
他の公知のレイアウトによれば、感応素子はカップの内面、したがってハウジングの内側に固定され、それによって外部環境から適切に保護される。ダイアフラムの内側への変形を制限し、互いに向かい合う２つの感応素子の電極を短絡させるように、２つのカップ間に障害物を配置することができる。
【０００７】
変形可能な材料で作られた中空の平坦なセンタリング要素により、１つまたは複数の感応素子を含むハウジングを剛性のチューブの内側に位置決めし、音響的な透過性を有する密閉されたシースをハウジング内に延ばすことも知られている。海底地震観測用途または地震探査において、このようなチューブは、多くの場合非常に長い柔軟なシース、または船によって引かれる、燈油または鉱油が満たされたストリーマの内側に多数分散される。
【０００８】
様々な圧電検出器が、たとえば、すべての特許が本出願人の一方または両方の名前で出願された、フランス特許第１５５６９７１号、フランス特許第２１２２６７５号、フランス特許第２７３３８３１号（米国特許第５８８９７３１号）、フランス特許第２７４８１８３号、またはフランス特許第２７９２８０２号、あるいは米国特許第３９７０８７８号、第４３３６６３９号、第４９２６３９７号、または第５１３６５４９号に記載されている。
【０００９】
【発明が解決しようとする課題】
上述のような圧電ハイドロフォンは、ある深さ範囲内で働くように構成されている。圧電素子の感度はダイアフラムの屈曲と共に低下する。ある屈曲を超えると、測定すべき圧力変動に対する圧電素子の応答は信頼できないものになり、互いに向かい合う電極が短絡した場合（感応素子がカップの内面に接触する検出器）には零になることもある。
【００１０】
本発明の目的は、外圧の作用の下で湾曲する可撓性の壁の、スイッチの押圧要素に対する作用により、浸漬深さが所定のしきい値を超えたときに自動的に抑制されるハイドロフォンを提供することにある。
【００１１】
【課題を解決するための手段】
本発明による自動抑制ハイドロフォンは、明確に定義された調整可能な深さ範囲で使用するのに適しており、所定の深さしきい値を超えたときに自動的に抑制される。このハイドロフォンは、加えられた圧力変動に応答して電気導体のワイヤ上で電気信号を生成する少なくとも１つの感圧検出ユニットを有する。
【００１２】
ハイドロフォンは、外部からハイドロフォンにかかる圧力の作用の下で湾曲する少なくとも１つの可撓性の壁のダイアフラムと、所定の外圧の場合にダイアフラムによって作動させられるようにダイアフラムと向かい合うように配置されたスイッチとを有し、感圧検出ユニットの電気導体のワイヤの少なくとも１本は、スイッチが解放されたときに感圧検出ユニットの感応素子の応答が抑制されるようにスイッチに接続されている。
【００１３】
第１の実施態様によれば、ハイドロフォンは、外部からハイドロフォンにかかる圧力の作用の下で湾曲する可撓性のダイアフラムによって密閉される第１のチャンバと、外部環境に対して開放されており、溝によって第１のチャンバと連通している第２のチャンバとを有する。押圧要素を有するスイッチは、第１のチャンバを密閉する可撓性のダイアフラムによって所定の外圧の場合に作動させられるように、可撓性のダイアフラムと向かい合うように配置されており、感圧検出ユニットは、第２のチャンバ内に配置されており、少なくとも１本の電気導体のワイヤは、第１のチャンバ内のスイッチに接続されており、したがって、可撓性のダイアフラムの作用によってスイッチが解放されたときに、感圧検出ユニットの感応素子の応答が抑制される。
【００１４】
ハイドロフォンは、たとえば、第２のチャンバの感圧検出ユニットが埋め込まれた音響的な透過性を有する材料で作られたブロックを有する。
【００１５】
第１の変形実施態様によれば、第２のチャンバは、スイッチを感圧検出ユニットに接続する少なくとも１本の電気導体のワイヤの通過を可能にする少なくとも１つの溝が貫通する内側の仕切りによって第１のチャンバから分離されており、第１のチャンバ側の本体の内側の仕切りは、たとえば、ダイアフラムの、第１のチャンバの内側の方への変形を制限するように構成される。
【００１６】
第１の変形実施態様によれば、第２のチャンバは、管状本体の内側に固定された誘電材料で作られた挿入された剛性のプレートによって第１のチャンバから分離されており、この剛性のプレートは、スイッチを保持しており、スイッチを感圧検出ユニットに接続する少なくとも１本の電気導体のワイヤにスイッチを電気的に接触させるのに適している。
【００１７】
剛性のプレートは、スイッチの端子を検出ユニットの電気導体のワイヤに接続するのを可能にする導電トラックを備えた絶縁プレートである。
【００１８】
ハイドロフォンは、たとえば、プラスチックまたは金属材料で作られたリングを有しており、このリングは、第１のチャンバ内の、ダイアフラムと剛性のプレートとの間に配置され、ダイアフラムの、第１のチャンバの内側への変形を制限するのに適している。
【００１９】
実施例によれば、第２のチャンバ内の感圧検出ユニットの検出素子は、互いに接触する２つのカップから成るハウジングを有し、少なくとも一方のカップが、可撓性の壁を形成する可撓性の中央部すなわちダイアフラムと、少なくとも一方のカップの中央部に固定された電極に関連している、少なくとも１つの感応素子と、を備え、感圧検出ユニットの検出素子は、各感応素子の電極に接続された電気導体のワイヤと、感圧検出ユニットを保護する保護シースとを有し、スイッチは少なくとも１つの電気導体のワイヤに接続されている。
【００２０】
実施例によれば、第２のチャンバ内の感圧検出ユニットの検出素子は、互いに接触する２つのカップから成るハウジングを有し、少なくとも一方のカップが、可撓性の壁を形成する可撓性の中央部すなわちダイアフラムと、少なくとも一方のカップの中央部に固定された電極に関連している、少なくとも１つの感応素子と、を備え、感圧検出ユニットの検出素子は、各感応素子の電極に接続された電気導体のワイヤと、感圧検出ユニットを保護する保護シースとを有し、少なくとも１つの電気導体のワイヤに接続されたスイッチは、静水圧の作用の下で湾曲する、ハウジングの少なくとも１つのダイアフラムによって解放されるように、ハウジングの内側に配置されている。
【００２１】
他の実施例によれば、感圧検出ユニットの検出素子は、２つのカップの間に配置された中間支持体を有し、スイッチは、一方のカップの中央部に面する押圧要素、およびスイッチに接続された電気導体がハウジングの外側の方に出られるようにする密閉された絶縁ブシュと共にこの中間支持体に固定されている。
【００２２】
他の実施例によれば、スイッチは、少なくとも１つのダイアフラムの屈曲が一定のしきい値よりも小さいままであるかぎり互いに電気的に接触したままになるのに適した可撓性のブレードを備える種類のスイッチである。
【００２３】
他の実施態様によれば、ハイドロフォンの管状本体は、検出ユニットおよびスイッチを含む固定部と、ダイアフラムによって第１の端部で密閉され、固定部にしっかりとねじ込まれた可動部とを有し、したがって、ダイアフラムと押圧要素との間に残る有効空間により、常に、明確に定められた圧力でスイッチを解放することができる。
【００２４】
したがって、まず管状本体の可動部を固定部にねじ込むことによって嵌め込み、ダイアフラムに所定の公称圧力をかけてダイアフラムを本体の内側の方へ湾曲させ、次に、ねじ込みによる可動部と固定部との嵌め込みを、湾曲したダイアフラムによってスイッチが作動するまで続けるように、ハイドロフォンを取り付けることが好ましい。
【００２５】
場合によって、スイッチは通常開いていても、通常閉じていてもよい。
【００２６】
上記で定義したハイドロフォンは軽量で小形である。ハイドロフォンの外側の表面には、周りを流れる流体を妨害する可能性のある粗なパッチがほとんどない。ダイアフラムは完全な密閉を実現し、スイッチを電気的に絶縁する。さらに、管状本体が、互いに嵌め込まれる２つの部分で構成される実施態様および取付けモードでは、ハイドロフォントリガリング条件の再現性が良好になる。
【００２７】
本発明によるハイドロフォンの他の特徴および利点は、添付の図面を参照して、非制限的な例についての以下の説明を読めば明らかになろう。
【００２８】
【発明の実施の形態】
ハイドロフォンは、両方の端部が開放された管状本体１を有している（図１、図４）。内側の仕切り２は、本体１の内部を、比較的狭い溝３を通して互いに連通する２つの不均等なチャンバ１ａ、１ｂに分割する。管状本体１の、小さいチャンバ１ａ側の端部は、たとえばＣｕ／Ｂ合金で作られたダイアフラム４によって閉鎖されている。管状本体１の末端部は、内側の方へ傾斜している。この傾斜によって形成される小さいボウルにより、ダイアフラム４は管状本体１の内側の方へ湾曲することができる。ダイアフラム４が湾曲することによって押し作動させることのできる押圧要素７を備えたスイッチ６は、小さいチャンバ１ａの中心に（たとえば、接着によって）固定されている。スイッチ６は、場合に応じて通常開いていても、通常閉じていてもよい。
【００２９】
大きい方のチャンバ１ｂ内に感圧検出ユニットＳが配置されている。感圧検出ユニットＳは、それを外部環境から絶縁する、音響的な透過性を有するプラスチック材料で作られたブロック８に埋め込まれている。外部環境の圧力変動に応答して感圧検出ユニットＳによって生成された信号が、電気導体のワイヤ９ａ、９ｂで得られる。スイッチ６は、解放されたときに感圧検出ユニットＳの信号を抑制するように少なくとも一方の電気導体のワイヤ上に設けられている。スイッチ６は、たとえば通常閉じている場合（図１）、解放されたときに回路を開くように一方の電気導体のワイヤ９ａ上に設けられる。
【００３０】
ダイアフラム４の可撓性および押圧要素７の位置としては、スイッチ６が作動し、ハイドロフォンが、所定の静水圧、たとえば３ＭＰａの場合に遮断されるような可撓性および位置が選択される。トリガリング静水圧が特に安定しており、かつ老化の影響を特に受けにくいことが分かっている。
【００３１】
感圧検出ユニットＳは、たとえば、電極に関連付けされた圧電セラミックで作られたチューブまたは中空の球から成る感応素子を有する、任意の種類のユニットであってよく、感圧検出ユニットに伝達される圧力変動によって機械的応力が生じ、感応素子が機械的応力を電気信号に変換する。
【００３２】
以下に一例として説明する実施形態では、ダイアフラムの屈曲を用いて１つまたは複数の圧電セラミック円板内で応力が生じさせられる。
【００３３】
各感圧検出ユニットＳは、対称的に配置され、互いに周辺で接触し、たとえば静止縁部すなわちリム１１を備える２つの同一のカップ１０ａ、１０ｂから成るハウジング１０を有している（図２）。カップは機械加工または板金加工することができる。たとえば２つの電極１２ａ、１２ｂに関連付けされた圧電セラミック円板などの感応素子１２が、各カップ１０ａ、１０ｂの可撓性の中央部の面に接着されている。各感応素子１２の電極１２ｂは、たとえば、感応素子１２の円板とカップ１０ａ、１０ｂの静止面との間に挿入された導電膜であり、場合によりこの静止面が導電性である場合にはこの面自体である。従来の接続モードによれば、２つの感応素子１２の電極１２ａ、１２ｂはそれぞれ相互接続されることが好ましい。ハウジング１０が導電性であるとき（後述の実施形態がそうである）、このハウジングは、電極１２ｂをカップ１０ａ、１０ｂと接触させることによって相互接続する。対向電極１２ａ同士は、関連付けされた電気導体のワイヤ１３ａを接続することによって相互接続される。ハウジング１０に電気導体のワイヤ１３ｂが電気的に接続されている。ハウジングの外部にかけられた圧力に応答して感応素子によって生成される電圧は、電気導体のワイヤ１３ａと電気導体のワイヤ１３ｂの間で得られる。ハウジング１０は、絶縁プラスチック材料で作られた保護シース１４に挿入される。
【００３４】
保護シース１４内の感圧検出ユニットＳは、大きい方のチャンバ１ｂ（図４）の中央面内にあり、調整された厚さのブロックに埋め込まれている。
【００３５】
図５の実施形態によれば、ハイドロフォンは、ハウジング２の内側に配置されたスイッチ１５に直接関連付けされた、図２に示されているような感圧検出ユニットＳを有している。スイッチは、カップ１０ａとカップ１０ｂの間に配置された中間支持体１７に固定されている。スイッチは通常閉じており、ハウジングに接続された電気導体のワイヤ上にスイッチの端子が設けられている。この電気導体のワイヤ１３ｂは、絶縁密閉されたブシュ（たとえば、ガラスビード）１８によってハウジング１０の壁を貫通して延びている。ハイドロフォンから供給される電圧Ｖは、相互接続された電気導体のワイヤ１３ａと共通の電気導体のワイヤ１３ｂとの間で得られる。この場合も、カップ１０ａ、１０ｂの高さおよびカップの可撓性は、押圧要素１６が、明確に定義された境界静水圧の場合に作動し、かつハイドロフォンが切り離されるように、スイッチ１５の寸法に応じて選択される。
【００３６】
図６の実施形態によれば、スイッチ６は可撓性のブレードを備えた種類のスイッチであり、第１のブレード１９は一方のカップ１０ａに電気的に接続され、第２のブレード２０はブシュ（たとえば、ガラスビード）１８によってハウジング１０から電気的に絶縁されており、ブレード１９および２０は、外圧の作用の下での少なくとも一方のダイアフラムの屈曲が、一定の限界内であるかぎり、互いに接触するように構成されており、ブレード同士が接触しない場合、たとえばハイドロフォンの一方の端子が外気にさらされる。
【００３７】
図７、図８に示されているハイドロフォンの実施形態において、図１、図４の要素に対応する要素は同じ参照番号を有している。ハイドロフォンはやはり、たとえばＣｕ／Ｂｅ合金で作られたダイアフラム４によって一端が密閉された管状本体１を有している。ナイロンなどのプラスチック材料で作られ、内側の方へ傾斜したリング２１がダイアフラム４に押し付けられている。この傾斜によって形成される小さいボウル５により、ダイアフラム４は管状本体１の内側の方へ屈曲することができる。チャンバ１ａ、１ｂを分離している仕切りは、非導電材料で作られた挿入された剛性のプレート２２である。押圧要素７を備えたスイッチ６が、剛性のプレート２２の、小さいチャンバ１ａ側の面に固定されている。剛性のプレート２２を貫通して延びる導電トラックによって、スイッチ６の端子は、感圧検出ユニットであるトランスデューサＳに関連付けされた電気導体のワイヤ９ａ、９ｂに電気的に接続されている。
【００３８】
したがって、ハイドロフォンの実装が簡略化される。まず、リング２１を、ダイアフラムに接触するまで本体１の開放端部に嵌め込み、たとえば接着によって管状本体の内側の壁に固定する。次に、剛性のプレート２２を、押圧要素がダイアフラムに接触するまで係合させ、２つのチャンバがきちんと分離されるように接着によって同様に固定する。次に、スイッチ６の端子に剛性のプレート２２を通して接続された少なくとも１本の電気導体のワイヤに電気的に接続されたトランスデューサＳを、管状本体内に配置し、音響的な透過性を有するプラスチック材料を大きいチャンバ１ｂに充填しブロック８にすることによって外部環境から絶縁する。
【００３９】
同様に、スイッチ６は通常開いていても、通常閉じていてもよい。
【００４０】
前述の図７の実施形態を変形したものである図９の実施形態によれば、ハイドロフォンの管状本体２３は、感圧検出ユニットＳおよび関連付けされた部材６、７、２２を内蔵するための固定部２３ａと、固定部２３ａにねじ込むことによって組み立てることのできるカバーを形成する、固定部２３ａと相補的な可動部２３ｂとを有している。固定部２３ａの内側の壁は、剛性のプレート２２が接触するショルダ２４と、雄ねじ２５とを有している。カバー２３ｂも、障害物を形成する傾斜リング２１が載る内側のショルダと、管状本体の固定部２３ａの雄ねじと一致する雄ねじとを有している。ダイアフラム４は、カバー２３ｂの端子面上に溶接（たとえば、レーザ溶接）されている。管状本体の壁を貫通するオリフィス２６が設けられており、これにより、ハイドロフォンを実装する間に閉じ込められる可能性のある空気を排出することができる。
【００４１】
実装動作時に、感圧検出ユニットＳに関連付けされた剛性のプレート２２を、ショルダ２４に接触するまで本体の固定部２３ａに嵌め込み、引っ張ることによって所定の位置に保持する。次に、チャンバ１ａを外部環境から絶縁するようにカバー２３ｂを固定部２３ａにねじ込む。カバーのねじ込みを、ハイドロフォンが所定の圧力の場合に抑制されるように調整する。
【００４２】
したがって、内側断面が、カバー２３ｂの外側断面と一致し、内部にシール２８を備える管状部２７（図１０）を使用する。所望のハイドロフォン抑制圧力に調整された調整可能な圧力の下で流体を供給する流体源との連通を可能にする溝をこの管状部２７に連結する。管状部２７によって管状本体のカバー２３ｂをぴったりと覆うことができる。所定の圧力をかけ、それによってダイアフラムをハウジングの内側の方へ湾曲させる。次に、湾曲したダイアフラムが押圧要素７に押し付けられ、スイッチ６を解放するまで、工具によってカバー２３ｂを固定部２３ａに押し込む。
【００４３】
各ハイドロフォンのこのような調整は、互いに協働してスイッチを解放する使用される機械的要素に適しているので、特に簡単で迅速で好都合である。この調整では、ダイアフラム４の有効可撓性、スイッチ６の有効寸法、押圧要素７の有効移動距離、これらの要素の製造交差を考慮することができ、一定の公称圧力でスイッチを解放することができる。
【００４４】
上述のようなハイドロフォンを海上地震探査に適用する場合は、引船の後方に浸漬させた状態で引くのに適したストリーマに沿って互いにある距離だけ分散させることができる。
【図面の簡単な説明】
【図１】一定の深さ値を超えたときにスイッチによって制御された抑制が可能になるハイドロフォンの第１の実施形態を概略的に示す図である。
【図２】ハイドロフォンの感圧検出ユニットの検出素子の実施形態を概略的に示す図である。
【図３】感圧検出ユニットの検出素子用の保護シースを概略的に示す図である。
【図４】管状ハウジング内の図３の感圧検出ユニットの検出素子を概略的に示す図である。
【図５】内部スイッチを有する感圧検出ユニットの検出素子の第２の実施形態を概略的に示す図である。
【図６】可撓性のブレードを備えた内部スイッチを有する感圧検出ユニットの検出素子の第３の実施形態を概略的に示す図である。
【図７】ハイドロフォンの本体内部に挿入された素子と２つの異なるスイッチとを有する図１のハイドロフォンの変形実施形態を概略的に示す図である。
【図８】ハイドロフォンの本体内部に挿入された素子と２つの異なるスイッチとを有する図１のハイドロフォンの変形実施形態を概略的に示す図である。
【図９】ハイドロフォントリガリングしきい値を厳密に調整することを可能にする改良された実施形態を概略的に示す図である。
【図１０】ハイドロフォントリガリングしきい値の微調整を可能にするハイドロフォン取付け工具を概略的に示す図である。
【符号の説明】
１、２３    管状本体
１ａ    第１のチャンバ
１ｂ    第２のチャンバ
２    内側の仕切り
３    溝
４    ダイアフラム（可撓性の壁）
５    ボウル
６、１５    スイッチ
７、１６    押圧要素
８    ブロック
９ａ、９ｂ、１３ａ、１３ｂ    電気導体のワイヤ
１０    ハウジング
１０ａ、１０ｂ    カップ（可撓性の壁）
１１    静止縁部すなわちリム
１２    感応素子
１２ａ、１２ｂ    電極
１４    保護シース
１７    中間支持体
１８    ブシュ（たとえば、ガラスビード）
１９    第１のブレード
２０    第２のブレード
２１    リング
２２    剛性のプレート
２３ａ    固定部
２３ｂ    可動部（カバー）
２４    ショルダ
２５    雄ねじ
２６    オリフィス
２７    管状部
２８    シール
Ｓ    感圧検出ユニット（トランスデューサ）
Ｖ    電圧
【図１】
0004083538.tif 000002
【図２】
0004083538.tif 000003
【図３】
0004083538.tif 000004
【図４】
0004083538.tif 000005
【図５】
0004083538.tif 000006
【図６】
0004083538.tif 000007
【図７】
0004083538.tif 000008
【図８】
0004083538.tif 000009
【図９】
0004083538.tif 000010
【図１０】
0004083538.tif 000011